(57)【特許請求の範囲】
【請求項１】
内部に光源が配設されるとともに下方が開口された器具本体と；前記開口を覆って前記器具本体に取付けられたカバー装置とを具備した照明器具において、
前記カバー装置が、
一対の側枠及びこれら側枠に連結された一対の端枠からなる枠体であって、前記側枠が、この側枠の長手方向に延びるとともに前記枠体内に突出されたカバー受け部と、このカバー受け部の上方に位置して前記側枠の長手方向に延びるとともに前記カバー受け部よりも長く前記枠体内に突出された内方突出部を有している前記枠体と；
前記カバー受け部に載置されるカバー縁部を有して一対の前記側枠にわたって配置され、前記側枠の長手方向に移動して前記枠体に挿脱される透光性のカバーと；
一対の前記端枠に夫々着脱可能に取付けられて前記カバーの前記移動を妨げる枠体覆いと；
前記カバー縁部と対向するように前記内方突出部に取付けられていて、自己の弾性力により前記内方突出部に沿う位置に付勢されているとともに前記カバー縁部に寄り付き可能な押え部材と；
この押え部材又は前記カバー縁部に固定された弾性材料製のパッキングと；
前記内方突出部の複数個所に上方から上下に進退可能にねじ込まれ、ねじ込まれることにより前記押え部材を前記カバー縁部に向けて押すとともに、ねじ込みが緩められることにより前記押え部材が前記内方突出部に沿う位置に向けて戻ることを許す押えねじと；
を備え、
前記カバー受け部に、前記側枠の長手方向の端から中央部に向けて延びる受け部側ラップ部が設けられているとともに、前記枠体覆いが前記カバーの端枠側部位を覆うカバー覆い部を有し、このカバー覆い部の側縁に覆い部側ラップ部が設けられており、この覆い部側ラップ部が前記受け部側ラップ部に上側から重ね合わされているとともに、複数の前記押えねじの内で前記側枠の長手方向の端部側に位置された押えねじが、前記受け部側ラップ部の長さ範囲内に配設されていることを特徴とする照明器具。
【請求項２】
前記カバー覆い部が前記カバー受け部の先端部に沿うとともに先細り状をなす一対の突出部位を有しており、これら突出部位の先端に前記覆い部側ラップ部に連続する先端ラップ部が設けられているとともに、前記カバー受け部の先端部に前記先端ラップ部が上側から重ね合わされるラップ部位が前記受け部側ラップ部に連続して設けられていることを特徴とする請求項１に記載の照明器具。
【発明の詳細な説明】
【技術分野】
【０００１】
本発明は、内部に光源が配設されるとともに下方が開口された器具本体と、前記開口を覆って前記器具本体に取付けられたカバー装置とを具備し、例えば列車の天井等に設置して使用される照明器具に関する。
【背景技術】
【０００２】
従来、内部にランプが配設された器具本体に、この器具本体の下方開口を閉じるカバー装置が取付けられた埋め込み型照明器具が知られている（例えば、特許文献１参照。）。
【０００３】
この照明器具のカバー装置は、外枠と内枠からなる保持枠内に光透過性カバーを取付けて形成されている。詳しくは、外枠の下面載置面部の上面に、この外枠の照射開口を閉じる大きさの光透過性カバーの周部が載置されており、この周部上面に弾性を有するずれ防止用パッキングが接着剤で貼り付けられている。外枠内に収められる内枠は、光透過性カバーの周部をずれ防止用パッキングとともに外枠の下面載置面部との間に挟持する挟持部を有しているとともに、外枠の外側面部の内面に接する内側面部を有している。
【０００４】
このカバー装置は、外枠の下面載置面部と内枠の挟持部との間に光透過性カバーの周部を挟み込んでから、外枠の外側面部と内枠の内側面部とをねじで止めることにより組立てられている。そして、カバー装置は、それに仮保持された上向きの取付けねじを、器具本体に連結された枠位置決め部材のねじ孔に螺合させて締め付けることにより、器具本体に取外し可能にねじ止めされている。
【特許文献１】特許第３８０４０８３号公報（段落0032−0052、図１−図６）
【発明の開示】
【発明が解決しようとする課題】
【０００５】
特許文献１の照明器具で、損傷した光透光性カバーを交換する場合には、カバー装置を、器具本体から取外し、既述の組立ての手順とは逆の手順で分解しなければならないから、光透光性カバーの交換作業が煩雑である。
【０００６】
又、内枠の高さ位置で光透光性カバーを挟持する性能が規定される特許文献１の照明器具では、ずれ防止用パッキングの使用にも拘わらず、外枠、内枠の寸法や板厚のばらつき、及びねじを受けるねじ孔の位置のばらつき等により、光透光性カバーの挟持力がばらつくおそれがあり、光透光性カバーをがたつかないように保持するための信頼性が低い。
【０００７】
本発明の目的は、カバー装置が有する透光性カバーの交換が容易であるとともに、このカバーのがたつきを高い信頼性を持って抑制でき、しかも、光漏れを抑制できる照明器具を提供することにある。
【課題を解決するための手段】
【０００８】
請求項１の発明は、内部に光源が配設されるとともに下方が開口された器具本体と；前記開口を覆って前記器具本体に取付けられたカバー装置とを具備した照明器具において、前記カバー装置が、一対の側枠及びこれら側枠に連結された一対の端枠からなる枠体であって、前記側枠が、この側枠の長手方向に延びるとともに前記枠体内に突出されたカバー受け部と、このカバー受け部の上方に位置して前記側枠の長手方向に延びるとともに前記カバー受け部よりも長く前記枠体内に突出された内方突出部を有している前記枠体と；前記カバー受け部に載置されるカバー縁部を有して一対の前記側枠にわたって配置され、前記側枠の長手方向に移動して前記枠体に挿脱される透光性のカバーと；一対の前記端枠に夫々着脱可能に取付けられて前記カバーの前記移動を妨げる枠体覆いと；前記カバー縁部と対向するように前記内方突出部に取付けられていて、自己の弾性力により前記内方突出部に沿う位置に付勢されているとともに前記カバー縁部に寄り付き可能な押え部材と；この押え部材又は前記カバー縁部に固定された弾性材料製のパッキングと；前記内方突出部の複数個所に上方から上下に進退可能にねじ込まれ、ねじ込まれることにより前記押え部材を前記カバー縁部に向けて押すとともに、ねじ込みが緩められることにより前記押え部材が前記内方突出部に沿う位置に向けて戻ることを許す押えねじと；を備え、前記カバー受け部に、前記側枠の長手方向の端から中央部に向けて延びる受け部側ラップ部が設けられているとともに、前記枠体覆いが前記カバーの端枠側部位を覆うカバー覆い部を有し、このカバー覆い部の側縁に覆い部側ラップ部が設けられており、この覆い部側ラップ部が前記受け部側ラップ部に上側から重ね合わされているとともに、複数の前記押えねじの内で前記側枠の長手方向の端部側に位置された押えねじが、前記受け部側ラップ部の長さ範囲内に配設されていることを特徴としている。
【０００９】
この請求項１の発明では、複数の押えねじをねじ込むことにより、カバーのカバー縁部に寄り付くように押え部材が弾性変形される。これにより、押え部材とカバー縁部との間に配置されたパッキングの圧縮を伴いながらカバー縁部を側枠のカバー受け部に押付けるとともに、このカバー受け部と押え部材とでカバー縁部及びパッキングを挟んで、枠体にカバーを固定できる。この場合、側枠の内方突出部を各押えねじが挿通するが、各押さえねじのねじ込み量は内方突出部によって規制されて同じになるので、略均等な力でカバー縁部の複数個所が挟まれる。このため、外部から振動が作用しても、カバーががたつくことを高い信頼性を持って抑制できる。
【００１０】
又、各押えねじを緩めると、押え部材が自己の弾性力で内方突出部に沿う位置に向けて戻る。すなわち、この押え部材がカバー受け部から遠ざかって、それに伴い復元するパッキングの厚み以上の隙間が押え部材とカバー受け部との間に形成される。これにより、カバーの固定が解除される。これとともに、枠体覆いを枠体の端枠から外すことにより、側枠の長手方向の端が開放されるので、カバーを枠体に対して抜き差し可能となる。したがって、カバーを交換する際に、以上の手順によってカバー装置全体の分解を伴うことなくカバーを容易に着脱できる。
【００１２】
更に、請求項１の発明では、受け部側ラップ部と覆い部側ラップ部との重なり合いにより、カバー受け部の先端縁と枠体覆いのカバー覆い部とが接し合った部位での光漏れの通路が折れ曲がっている。その上、カバーのカバー縁部を押える押えねじのねじ込みに伴い、押え力が覆い部側ラップ部に波及して、覆い部側ラップ部がその下側の受け部側ラップ部に密接される。このため、カバー受け部と枠体覆いのカバー覆い部とが接し合った部位に、カバーの端枠側部位を透過した光が差し込むにも拘わらず、その光が前記接し合った部位から漏れることを抑制できる。
【００１５】
請求項２の発明は、請求項１の発明において、前記カバー覆い部が前記カバー受け部の先端部に沿うとともに先細り状をなす一対の突出部位を有しており、これら突出部位の先端に前記覆い部側ラップ部に連続する先端ラップ部が設けられているとともに、前記カバー受け部の先端部に前記先端ラップ部が上側から重ね合わされるラップ部位が前記受け部側ラップ部に連続して設けられていることを特徴としている。
【００１６】
この請求項２の発明では、カバー覆い部の一対の突出部位が先細り状であるにも拘らず、その細い先端部が、カバー受け部の下面に対して下方に浮くように突出することを、ラップ部位への先端ラップ部の重なりによって抑制できる。このため、体裁が良いとともに、カバー装置の下面を掃除する際に、先細り状の突出部位の先端に引っ掛かることが抑制されて安全かつ容易に掃除を行うことができる。
【発明の効果】
【００１７】
請求項１の発明の照明器具によれば、カバー装置が有する透光性カバーの交換が容易であるとともに、このカバーのがたつきを高い信頼性を持って抑制でき、しかも、カバー受け部の先端縁と枠体覆いのカバー覆い部とが接し合った部位での光漏れを抑制できる。
【００１９】
請求項２の発明の照明器具によれば、請求項１の発明において、更に、カバー装置の下面の体裁が良いとともに、カバー装置の下面を安全かつ容易に掃除することができる。
【発明を実施するための最良の形態】
【００２０】
図１〜図１０を参照して本発明の一実施形態を説明する。本実施形態の照明器具１は列車の天井に埋め込み設置して使用される。この照明器具１は、器具本体２と、カバー装置１１とを具備している。
【００２１】
図２に示すように器具本体２は、下方に開口されていて、この開口は正面から見て（言い換えれば、器具本体２を下方から上方に見て）長方形状をなしている。器具本体２は、その開口の両側に張出し部３を有している。一方の張出し部３にはヒンジ４が複数固定され、他方の張出し部３にはフック受け５が複数設けられている。
【００２２】
図２に示すように器具本体２内には光源として例えば直管型の蛍光ランプ６が器具本体２の下方開口に対向して配設され、この蛍光ランプ６は器具本体２の長手方向両端部に夫々設置されたランプソケット７に支持されている。図１（Ｂ）及び図３に示すように器具本体２の上壁背面には、蛍光ランプ６の点灯を制御する電子安定器等の点灯装置８が装着されている。
【００２３】
器具本体２は、図示しない列車の天井に開けた器具取付け孔に挿入されるとともに、それに伴い器具取付け孔の縁に当てられた張出し部３の夫々に複数のねじ（図示しない）を通して天井にねじ込むことにより天井に設置される。
【００２４】
カバー装置１１は、器具本体２の下方開口を下側から開閉可能に覆ってこの器具本体２に取付けられており、枠体１２と、カバー２６と、一対の枠体覆い３１と、押え部材４１と、パッキング４５と、複数の押えねじ５１とを備えている。
【００２５】
図２〜図４に示すように枠体１２は、一対の側枠１３及び一対の端枠２１により長方形に作られている。側枠１３は押出し型材例えばアルミニウム製である。図７に示すように側枠１３は枠体１２内に突出されたカバー受け部１４と内方突出部１５を一体に有している。これらカバー受け部１４と内方突出部１５は、いずれも側枠１３の長手方向に延びている。
【００２６】
カバー受け部１４は例えば側枠１３の下端縁から折り曲げられていて、その上面にゴムのような弾性変形が可能な緩衝部材１６が貼り付けられている（図３参照）。緩衝部材１６は後述のガラス製のカバーが金属製のカバー受け部１４に接することを妨げてカバーが破損する可能性を低減するために使用されている。
【００２７】
図５〜図８に示すようにカバー受け部１４の突出方向の先端縁に、このカバー受け部１４の突出幅を狭くする切り欠き１４ａが設けられているとともに、この切り欠き１４ａに沿って受け部側ラップ部１４ｂ及びラップ部位１４ｃが設けられている。受け部側ラップ部１４ｂ及びラップ部位１４ｃは、カバー受け部１４の厚みを略半分程度に薄くする切り欠き加工を、カバー受け部１４にその上面側から施すことで形成されている。
【００２８】
切り欠き１４ａ及び受け部側ラップ部１４ｂは側枠１３の長手方向の一端及び他端から中央部に向けて延びていて、これら切り欠き１４ａ及び受け部側ラップ部１４ｂの一端は前記長手方向の一端又は他端に開放されている。ラップ部位１４ｃは、受け部側ラップ部１４ｂの他端から折れ曲がるように形成されていて、これら受け部側ラップ部１４ｂとラップ部位１４ｃは面一に連続している。
【００２９】
図７〜図９に示すように内方突出部１５はカバー受け部１４の上方に離れて設けられていて、基部１５ａと、上向き部位１５ｂと、先端部位１５ｃとからなる。
【００３０】
基部１５ａは側枠１３の内面からカバー受け部１４と平行に突出されており、その突出幅はカバー受け部１４の幅よりも大きい。したがって、内方突出部１５はカバー受け部１４より長く枠体１２内に突出されている。図７中符号１３ａは内方突出部１５の基部１５ａとカバー受け部１４との間に形成された保持溝を示している。この保持溝１３ａは、枠体１２内に開放されているとともに、保持溝１３ａの長手方向両端は側枠１３の両端が露出された枠体１２の長手方向両端に夫々開放されている。
【００３１】
上向き部位１５ｂは基部１５ａに対して直角をなして基部１５ａの先端から折れ曲がっている。先端部位１５ｃは上向き部位１５ｂの上端から枠体１２の内側方向に折れ曲がっている。この先端部位１５ｃ上には弾性変形が可能となるようにスポンジ状に発泡形成されたウレタン樹脂等からなる防虫パッキン１７が接着されている。
【００３２】
一対の側枠１３にわたって設けられる各端枠２１は、金属板を折り曲げてなるものであって、図４で代表して示すように左右一対の側枠１３の長手方向の端に止めねじ２２で固定されている。これらの端枠２１は側枠１３の開放された長手方向の端からずれた位置で内方突出部１５の基部１５ａにねじ止めされている。端枠２１の上端は内方突出部１５の先端部位１５ｃと同じ高さであり、この上端に防虫パッキン２３が接着されている。防虫パッキン２３は、弾性変形が可能となるようにスポンジ状に発泡形成されたウレタン樹脂等からなるとともに、図２に示すように防虫パッキン１７の端に連続している。これら防虫パッキン１７，２３は器具本体２にその下方開口を囲んで密接されるようになっている。
【００３３】
図３及び図４に示すようにカバー２６は、例えば透光性の不燃材である透明なガラス板２６ａの背面に薄い透光性シート２６ｂを貼り付けて形成されている。カバー２６が透光性シート２６ｂを有していることによって、ガラス板２６ａが破損した場合に、その破片が落下することが抑制されるようになっている。透光性シート２６ｂには例えば乳白色のアクリルシートが用いられており、それにより、蛍光ランプ６の直視を防止するとともに拡散照明ができるようになっている。
【００３４】
カバー２６は、その両側縁（以下をカバー縁部２６ｃと称する。）を保持溝１３ａに挿入してカバー受け部１４上に載置することによって、一対の側枠１３にわたって枠体１２の下方開口を閉じて配置されている。このカバー２６は側枠１３の長手方向に移動されることにより、枠体１２に対してその端面を通して挿脱できるようになっている。
【００３５】
一対の枠体覆い３１は、図１（Ａ）に示すように枠体１２の長手方向の両端部を覆って各端枠２１の夫々に着脱可能に取付けられている。図１、図２、図４、及び図６中符号３０は、枠体覆い３１を通って端枠２１に取外し可能にねじ込まれたねじを示している。
【００３６】
枠体覆い３１は、側枠１３と同種の金属製であって、図６及び図１０に示すように枠体覆い部３２とカバー覆い部３３を有している。
【００３７】
枠体覆い部３２は一対の側枠１３の長手方向の端に渡って配置されて端枠２１にねじ止めされた部分であって、この枠体覆い部３２をストッパとして、枠体１２に支持されたカバー２６が側枠１３の長手方向に移動することが妨げられるようになっている。したがって、枠体覆い３１が枠体１２から外された状態では、枠体１２の端面を通してカバー２６のカバー縁部２６ｃを左右一対の保持溝１３ａに挿脱可能である。
【００３８】
カバー覆い部３３はカバー２６の端枠側端部を下方から覆う部位である。このカバー覆い部３３にはＵ字状の凹みが形成されている。それにより、カバー覆い部３３は、カバー受け部１４の先端部に沿うとともに先細り状をなす一対の突出部位３３ａを有している。
【００３９】
図７、図８、及び図１０に示すようにカバー覆い部３３の両側縁の夫々には、これらの側縁の厚みを略半分程度に薄くする切り欠き加工を下面側から施すことによって、覆い部側ラップ部３４と先端ラップ部３５が形成されている。覆い部側ラップ部３４は、カバー覆い部３３の略全長にわたって設けられている。先端ラップ部３５は、覆い部側ラップ部３４に面一に連続して突出部位３３ａの先端に回り込んで設けられている。
【００４０】
これらの枠体覆い３１は枠体１２の長手方向両端から中央部に向けて挿入されている。この挿入より、覆い部側ラップ部３４と受け部側ラップ部１４ｂがカバー受け部１４及びカバー覆い部３３の厚み方向に沿って上下方向に重ね合わされている。具体的には、覆い部側ラップ部３４が受け部側ラップ部１４ｂに上側から重ね合わされている。これとともに、先端ラップ部３５とラップ部位１４ｃもカバー受け部１４及びカバー覆い部３３の厚み方向に沿って上下方向に重ね合わされている。具体的には、先端ラップ部３５がラップ部位１４ｃに上側から重ね合わされている。
【００４１】
更に、前記挿入により突出部位３３ａは前記切り欠き１４ａに入り込んで設けられ、それにより、図１（Ｂ）及び図５に示すようにカバー受け部１４とカバー覆い部３３の下面とが面一に連続されるとともに、カバー覆い部３３のＵ字状の縁がカバー受け部１４の先端縁に連続するようになっている。
【００４２】
押え部材４１は、一対用いられているとともに、弾性を有する材料好適には金属の板ばね製であり、図３に示すように上向き部位１５ｂにねじ止めされる固定片部４１ａと、この固定片部４１ａから折り曲げられてカバー縁部２６ｃと対向するように保持溝１３ａに挿入された押え片部４１ｂとからなる。押え部材４１は側枠１３と同程度に長い。なお、図９（Ｂ）中符号１３ｂは押え部材４１を側枠１３に固定するねじがねじ込まれるねじ孔を示している。
【００４３】
押え部材４１は、自己の弾性力によりその押え片部４１ｂが内方突出部１５の基部１５ａに沿う位置に付勢されている。押え片部４１ｂの下面にパッキング４５が貼り付けられている。なお、パッキング４５は、押え部材４１に接着することに代えてカバー縁部２６ｃの上面に接着することもできる。パッキング４５はゴムのように弾性変形が可能でかつ摩擦係数が大きい材料で作られている。このパッキング４５は、押え片部４１ｂと固定片部４１ａとがなした角を支点として押え片部４１ｂが上下方向に弾性変形されるに伴い、カバー縁部２６ｃに上方から接離されるようになっている。
【００４４】
押え片部４１ｂを上下に動かすために内方突出部１５の基部１５ａには、その長手方向に所定間隔ごとに押えねじ５１が上方からねじ込まれている。なお、図９（Ａ）中符号１３ｃは押えねじ５１がねじ込まれるねじ孔を示している。又、図３および図７中符号は押えねじ５１が挿通された座金を示している。これらの押えねじ５１は座金５２を介して基部１５ａに当たり止めされるまでねじ込まれている。それにより、押え片部４１ｂが押下げられてカバー縁部２６ｃに寄せられ、パッキング４５を介してカバー縁部２６ｃがカバー受け部１４に押し付けられた状態に保持されている。
【００４５】
複数の押えねじ５１の内で側枠１３の長手方向の端部側に位置された押えねじ５１が、受け部側ラップ部１４ｂの長さ範囲（図９にこの範囲を寸法Ｌで示す。）に配設されている。なお、この端部側の押えねじ５１が螺合されるねじ孔１３ｃの識別を容易にするために、図９（Ａ）では括弧書きで示す。
【００４６】
又、図２に示すようにカバー装置１１は前記ヒンジ４に連結されていて、このヒンジ４を支点に回動して開閉されるようになっている。更に、カバー装置１１の自由端側に位置された方の側枠１３には図２及び図３に示すようにリリース部（図示しない）付きのフック装置９が複数取付けられている。これらのフック装置９は前記フック受け５に着脱可能であり、フック装置９がフック受け５に引っ掛かることにより、カバー装置１１が閉じた状態が保持されるようになっている。
【００４７】
前記照明器具１では、ＪＩＳ規格を満足した各押えねじ５１をねじ込むことにより、図３中二点鎖線で示したように押え部材４１の押え片部４１ｂがカバー２６のカバー縁部２６ｃに寄り付くように弾性変形される。これにより、押え片部４１ｂとカバー縁部２６ｃとの間に配置されたパッキング４５の圧縮を伴いながらカバー縁部２６ｃを側枠１３のカバー受け部１４に上方から押付けて、このカバー受け部１４と押え片部４１ｂとでカバー縁部２６ｃ及びパッキング４５を挟んで、枠体１２の側枠１３にわたって配置されたカバー２６を固定できる。
【００４８】
この場合、側枠１３の内方突出部１４を各押えねじ５１が挿通するが、その際のねじ込み量は内方突出部１４の基部１５ａによって規制されて同じになるので、略均等な力でカバー縁部２６ｃの複数個所が挟まれる。このため、列車の走行に伴う振動が照明器具１に作用しても、カバー２６ががたつくことを高い信頼性を持って抑制できる。
【００４９】
なお、説明の都合上、図３では照明器具１が組立てられた状態で押えねじ５１が緩んだ状態を描いたが、実際に照明器具１の組立てが完了した状態では、以上説明したように各押えねじ５１は基部１５ａを貫通してねじ込まれていて、カバー２６ががたつかないように保持された状態となっているものである。
【００５０】
又、カバー２６の交換作業はカバー装置１１を開いた状態で行われる。この交換作業で、各押えねじ５１を緩めると、押え部材４１の弾性力でその押え片部４１ｂが、図３中実線で示すように内方突出部１５に沿う位置に向けて戻り、この押え片部４１ｂがカバー受け部１４から遠ざかる。それに伴い、パッキング４５が膨らむように復元するが、この膨らんだパッキング４５の厚み以上の隙間が押え部材４１の押え片部４１ｂとカバー受け部１４との間に形成される。これにより、カバー２６の固定が解除される。
【００５１】
これとともに、少なくとも一方の枠体覆い３１を端枠２１に固定しているねじ３０を外した上で、枠体覆い３１を引出して枠体１２から外すことにより、側枠１３の長手方向の少なくとも一端が開放されて、カバー２６が枠体１２に対して抜き差し可能となる。
【００５２】
そのため、以上の手順によってカバー装置１１全体の分解を伴うことなくカバー２６をカバー装置１１から抜出すことができる。そして、これと逆の手順により新たカバー２６をカバー装置１１全体の組立を伴うことなく取付けることができる。
【００５３】
この場合、保持溝１３ａに対してカバー縁部２６ｃは薄く、このカバー縁部２６ｃが遊びを持って保持溝１３ａに挿入されるので、パッキング４５及び緩衝部材１６との接触が軽微となる。そのため、枠体１２に対してカバー２６を抜き差しするのに、パッキング４５及び緩衝部材１６が大きな抵抗とならならないようにできる。これにより、カバー２６を容易に抜き差しできるとともに、この抜き差しに伴いパッキング４５がめくれることも低減できる。
【００５４】
以上のようにカバー装置１１の分解と組立を伴うことなくカバー２６を着脱できるので、その交換作業が容易である。
【００５５】
又、前記構成の照明器具１では、カバー受け部１４の突出方向の先端縁に設けた受け部側ラップ部１４ｂと、枠体覆い３１のカバー覆い部３３に設けた覆い部側ラップ部３４とが、上下方向に重なり合っている。この重なり合いにより、カバー受け部１４の先端縁とカバー覆い部３３とが接し合った部位での光漏れの通路が折れ曲がるように形成される。このため、カバー受け部１４とカバー覆い部３３とが接し合った部位に、カバー２６の端枠側部位を透過した光が差し込むにも拘わらず、その光が、前記接し合った部位から漏れることを抑制できる。
【００５６】
同様に、カバー覆い部３３の先細り状をなす一対の突出部位３３ａの先端に覆い部側ラップ部３４に連続して設けた先端ラップ部３５と、カバー受け部１４の先端部に受け部側ラップ部１４ｂに連続して設けられたラップ部位１４ｃも上下に重なり合っている。このため、先端ラップ部３５とラップ部位１４ｃとが接し合った部位に、カバー２６の端枠側部位を透過した光が差し込むにも拘わらず、前記接し合った部位での光漏れの通路が折れ曲がっているので、前記接し合った部位から光が漏れることを抑制できる。
【００５７】
更に、覆い部側ラップ部３４は受け部側ラップ部１４ｂに上側から重ね合わされているとともに、側枠１３の長手方向の端部側に位置された押えねじ５１が、受け部側ラップ部１４ｂの長さ範囲Ｌ内に配設されているから、次の点で好ましい。すなわち、前記端部側の押えねじ５１のねじ込みに伴い、その押え力が覆い部側ラップ部３４に波及して、覆い部側ラップ部３４がその下側の受け部側ラップ部１４ｂに密接されるとともに、先端タップ部３５がその下側位置にラップ部位１４ｃに密接される。このため、カバー受け部１４と枠体覆い３１のカバー覆い部３３とが接し合った部位からの光漏れを確実に抑制できる。
【００５８】
しかも、カバー覆い部３３はカバー受け部１４の先端部に沿うとともに先細り状をなす一対の突出部位３３ａを有していて、これら突出部位３３ａの先端に設けられた先端ラップ部３５が、カバー受け部１４のラップ部位１４ｃに上側から重ね合わされている。これにより、突出部位３３ａが先細り状であるにも拘らず、その先端部が、押えねじ５１のねじ込み伴う押え力を受けてカバー受け部１４の先端に対して下方に浮くように突出することを、ラップ部位１４ｃへの先端ラップ部３５の重なりによって抑制できる。したがって、照明器具１の体裁が良いとともに、カバー装置１１の下面を掃除する際等に、先細り状をなした突出部位３３ａの先端部に引っ掛かることが抑制されるので、安全かつ容易に掃除などを行うことができる。
【図面の簡単な説明】
【００５９】
【図１】（Ａ）は本発明の一実施形態に係る列車用照明器具を示す斜視図。（Ｂ）は図１（Ａ）中矢印１Ｂ方向から見て示す照明器具の図。
【図２】図１の照明器具をそのカバー装置を開いた状態で示す斜視図。
【図３】図１の照明器具の一部を示す断面図。
【図４】図１の照明器具の長手方向一端部を示す断面図。
【図５】図１の照明器具の長手方向一端部を示す正面図。
【図６】図１の照明器具の長手方向一端部をこれから分離された枠体覆いとともに示す斜視図。
【図７】図１の照明器具の側枠をこれから分離された枠体覆いの一部及び押えねじとともに示す横断面図。
【図８】図１の照明器具の側枠をこれから分離された枠体覆いの一部とともに示す縦断面図。
【図９】（Ａ）は図７中Ｆ９Ａ方向から見た側枠の平面図。（Ｂ）は図７中Ｆ９Ｂ方向から見た側枠の側面図。
【図１０】図１の照明器具の枠体覆いを示す斜視図。
【符号の説明】
【００６０】
１…照明器具、２…器具本体、６…蛍光ランプ（光源）、１１…カバー装置、１２…枠体、１３…側枠、１４…カバー受け部、１５…内方突出部、１４ｂ…受け部側ラップ部、１４ｃ…ラップ部位、２１…端枠、２６…カバー、２６ｃ…カバー縁部、３１…枠体覆い、３２…枠体覆い部、３３…カバー覆い部、３３ａ…突出部位、３４…覆い側ラップ部、３５…先端ラップ部、４１…押え部材、４５…パッキング、５１…押えねじ
【図１】
0005011510.tif 000002
【図２】
0005011510.tif 000003
【図３】
0005011510.tif 000004
【図４】
0005011510.tif 000005
【図５】
0005011510.tif 000006
【図６】
0005011510.tif 000007
【図７】
0005011510.tif 000008
【図８】
0005011510.tif 000009
【図９】
0005011510.tif 000010
【図１０】
0005011510.tif 000011